(57)【特許請求の範囲】
【請求項１】
左側の上下の外壁面材と右側の上下の外壁面材との間の上下方向に延びる縦目地と、下側の左右の外壁面材と上側の左右の外壁面材との間の左右方向に延びる横目地とが十字状に交叉している外壁目地交叉部の止水構造であって、
前記外壁面材の背面側に、乾式の第１止水材が、縦目地に沿い、横目地を貫くように横目地を挟む上下両側に延ばされており、
該乾式第１止水材は、縦目地の幅寸法よりも広幅で、両側部が縦目地を挟む左右の外壁面材の背面側に張り出していると共に、各張り出し部分の正面側には上下方向に延びる止水用のヒレが設けられ、各ヒレが、それより奥方への水の侵入を阻止して止水状態を形成しており、
前記縦目地を挟む左右の外壁面材間に乾式の第２止水材が設けられると共に、前記横目地を挟む上下の外壁面材間に乾式の第３止水材が設けられ、第２，第３の乾式止水材のうちの一方の乾式止水材が縦目地と横目地の十字状交叉部を貫くように延ばされ、もう一方の乾式止水材が十字状交叉部で前記一方の乾式止水材により分断されて該一方の乾式止水材を挟む両側を延ばされており、
前記上側の左右の外壁面材が階上の外壁面材からなり、各階上外壁面材の背面部には、隣り合う側部に、上下方向に延びる縦胴縁が設けられ、各縦胴縁と階上外壁面材との間に下方に開口する凹所が設けられ、各凹所に前記乾式第１止水材の上端側が差し込まれており、
前記乾式第１止水材は、その正面側の幅方向の中央部に、背面側を奥方に突出させることで正面側に形成された溝部を備え、該背面側の突出部を縦胴縁間を通じて奥方に突出させていることを特徴とする外壁目地交叉部の乾式止水構造。
【請求項２】
前記上側の左右の外壁面材が階上の外壁面材からなり、各階上外壁面材の背面部には、隣り合う側部に、上下方向に延びる縦胴縁が設けられ、各縦胴縁と階上外壁面材との間に下方に開口する凹所が設けられ、各凹所に前記乾式第１止水材の上端側が差し込まれて、各階上外壁面材と縦胴縁とが乾式第１止水材のヒレを圧して止水状態を形成しており、
前記各縦胴縁は前記各階上外壁面材よりも下方に突出し、下側の左右の外壁面材の上端側が、各縦胴縁の前記下方突出部分の正面側に重り状となり、各下側外壁面材と縦胴縁とが前記乾式第１止水材のヒレを圧して止水状態を形成している請求項１に記載の外壁目地交叉部の乾式止水構造。
【発明の詳細な説明】
【技術分野】
【０００１】
本発明は、外壁目地交叉部の乾式止水構造に関する。
【背景技術】
【０００２】
例えば、左側の階上・階間の外壁面材と右側の階上・階間の外壁面材との間の上下方向に延びる縦目地と、階間の左右の外壁面材と階上の左右の外壁面材との間の左右方向に延びる横目地とが十字状に交叉している外壁目地交叉部の止水構造として、湿式や、湿式と乾式との組み合わせ、あるいは、乾式のみによる止水構造が提案されているが、湿式は施工に専門技量を必要とすることから、乾式のみで適正な止水状態を形成できる構造の開発が行われている。
【先行技術文献】
【特許文献】
【０００３】
【特許文献１】特開平７−６２８３１号公報
【特許文献２】特開平７−２０７７７６号公報
【発明の概要】
【発明が解決しようとする課題】
【０００４】
しかしながら、外壁目地の十字状交叉部は、外壁の施工精度確保の困難性から、交叉部を挟む上下の各縦目地部分が、互いにわずかに偏心してしまったり、目地幅寸法が互いに異なってしまったりし、また、交叉部を挟む左右の各縦目地部分についても同様のことが起こったりして、縦横の目地部に嵌め込んだ乾式の止水材のみによって万全な止水状態を形成するのは困難を極める。
【０００５】
そのため、そのような狂いを生じていても止水状態が形成されるようにするための部品や部材の組込みが行われているが、構造が複雑化したり、組込みや施工に手間を要するという問題があった。
【０００６】
本発明は、上記のような問題点に鑑み、外壁の施工に狂い等があっても乾式のみでしっかりとした止水状態を形成することができ、しかも、構造が簡素で、部品等の組込みや施工も容易に行うことができる、外壁目地交叉部の乾式止水構造を提供することを課題とする。
【課題を解決するための手段】
【０００７】
上記の課題は、左側の上下の外壁面材と右側の上下の外壁面材との間の上下方向に延びる縦目地と、下側の左右の外壁面材と上側の左右の外壁面材との間の左右方向に延びる横目地とが十字状に交叉している外壁目地交叉部の止水構造であって、
前記外壁面材の背面側に、乾式の第１止水材が、縦目地に沿い、横目地を貫くように横目地を挟む上下両側に延ばされており、
該乾式第１止水材は、縦目地の幅寸法よりも広幅で、両側部が縦目地を挟む左右の外壁面材の背面側に張り出していると共に、各張り出し部分の正面側には上下方向に延びる止水用のヒレが設けられ、各ヒレが、それより奥方への水の侵入を阻止して止水状態を形成しており、
前記縦目地を挟む左右の外壁面材間に乾式の第２止水材が設けられると共に、前記横目地を挟む上下の外壁面材間に乾式の第３止水材が設けられ、第２，第３の乾式止水材のうちの一方の乾式止水材が縦目地と横目地の十字状交叉部を貫くように延ばされ、もう一方の乾式止水材が十字状交叉部で前記一方の乾式止水材により分断されて該一方の乾式止水材を挟む両側を延ばされていることを特徴とする外壁目地交叉部の乾式止水構造によって解決される（第１発明）。
【０００８】
この構造では、外壁の施工に狂い等があって、外壁目地の十字状交叉部において、雨水等の水が、第２，第３の乾式止水材を越えて奥方に入り込んでも、乾式の第１止水材の各ヒレが、奥方への水の侵入を阻止して、乾式のみでしっかりとした止水状態を形成することができる。
【０００９】
しかも、かかる乾式第１止水材は、縦目地の幅寸法よりも広幅で、両側部が縦目地を挟む左右の外壁面材の背面側に張り出していると共に、各張り出し部分の正面側に上下方向に延びる止水用のヒレが設けられ、各ヒレで、それより奥方への水の侵入を阻止して止水状態を形成するようになされたものであるので、乾式第１止水材それ自体が構造簡素であって、それを組み込みさえすればよくて構造が簡素である。
【００１０】
加えて、乾式の第１止水材は、縦目地の幅寸法よりも広幅で、その両側部を左右の外壁面材の背面側に張り出させるように組み込むだけでよいので、施工も容易である。
【００１１】
第１発明において、前記上側の左右の外壁面材が階上の外壁面材からなり、各階上外壁面材の背面部には、隣り合う側部に、上下方向に延びる縦胴縁が設けられ、各縦胴縁と階上外壁面材との間に下方に開口する凹所が設けられ、各凹所に前記乾式第１止水材の上端側が差し込まれており、
前記乾式第１止水材は、その正面側の幅方向の中央部に、背面側を奥方に突出させることで正面側に形成された溝部を備え、該背面側の突出部を縦胴縁間を通じて奥方に突出させているとよい（第２発明）。
【００１２】
この構造では、乾式第１止水材の幅方向の両側部分を外壁面材の背面側の屋外側に近い位置に組み込むことができて、乾式第１止水材の組込みを容易にすることができると共に、施工を容易に行うことができる。しかも、乾式第１止水材の幅方向中央部に備えられた溝部を利用して、乾式第２止水材を縦目地に対して深く嵌め込むことができ、しっかりとした止水状態を形成することができる。
【００１３】
第１，第２発明において、前記上側の左右の外壁面材が階上の外壁面材からなり、各階上外壁面材の背面部には、隣り合う側部に、上下方向に延びる縦胴縁が設けられ、各縦胴縁と階上外壁面材との間に下方に開口する凹所が設けられ、各凹所に前記乾式第１止水材の上端側が差し込まれて、各階上外壁面材と縦胴縁とが乾式第１止水材のヒレを圧して止水状態を形成しており、
前記各縦胴縁は前記各階上外壁面材よりも下方に突出し、下側の左右の外壁面材の上端側が、各縦胴縁の前記下方突出部分の正面側に重り状となり、各下側外壁面材と縦胴縁とが前記乾式第１止水材のヒレを圧して止水状態を形成しているとよい（第３発明）。
【００１４】
この場合は、横目地を挟む上下両側において第１止水材のヒレを圧した状態にしているので、しっかりとした止水状態を形成することができる。しかも、それを、階上外壁面材背面部の縦胴縁を下方に突出させただけの簡素な構造で実現することができる。
【発明の効果】
【００１５】
本発明の外壁目地交叉部の乾式止水構造は、以上のとおりのものであるから、外壁の施工に狂い等があっても乾式のみでしっかりとした止水状態を形成することができ、しかも、構造が簡素で、部品等の組込みや施工も容易に行うことができる。
【図面の簡単な説明】
【００１６】
【図１】実施形態の乾式止水構造を示すもので、図（イ）は要部正面図、図（ロ）は図（イ）のＩ−Ｉ線矢視図である。
【図２】同乾式止水構造の分解断面側面部である。
【図３】図（イ）は階間外壁面材を取り外した状態の正面図、図（ロ）は階間外壁面材を取り付けた状態の正面図である。
【図４】第１乾式止水材を示すもので、図（イ）は全体正面図、図（ロ）は同側面図、図（ハ）は図（イ）のＡ部横断面図、図（ニ）は図（イ）のＢ部横断面図である。
【図５】図（イ）は第１，第２及び第４の各乾式止水材を分離状態にして示す側面部、図（ロ）は図（イ）のＣ部横断面、図（ハ）は図（イ）のＤ部横断面、図（ニ）は図（イ）のＥ部横断面、図（ホ）は図（イ）のＦ部横断面である。
【発明を実施するための形態】
【００１７】
次に、本発明の実施形態を図面に基づいて説明する。
【００１８】
図１〜図５に示す実施形態の止水構造は、本発明の止水構造を、左側の階上・階間の外壁面材１ａ，２と右側の階上・階間の外壁面材１ａ，２との間の上下方向に延びる縦目地４と、階間の左右の外壁面材２，２と階上の左右の外壁面材１ａ，１ａとの間の左右方向に延びる横目地５とが十字状に交叉している外壁目地交叉部に適用した場合のもので、６は鋼製胴差、１は階上外壁パネル、７は乾式の第１止水材、８は乾式の第２止水材、９は乾式の第３止水材である。なお、３は階下外壁パネル、１０は乾式の第４止水材である。
【００１９】
階上外壁パネル１は、パネルフレーム１ｂと階上外壁面材１ａとの間に板状の外断熱材１ｃが設けられると共に、階上外壁面材１ａの側部において外断熱材１ｃと階上外壁面材１ａとの間に縦胴縁１ｄが設けられ、該縦胴縁１ｄによって外断熱材１ｃと階上外壁面材１ａとの間に上下方向に延びる通気層１ｅが備えられた構造のものからなっている。
【００２０】
そして、側部の縦胴縁１ｄと階上外壁面材１ａとの間には、縦胴縁１ｄの側に切欠きが設けられることで、下方に開口する凹所１１が形成され、該凹所１１に乾式第１止水材７の上端側を差し込むことができるようになされている。
【００２１】
また、上記の縦胴縁１ｄは、階上外壁面材１ａよりも下方に突出し、階間外壁面材２の上端側が、縦胴縁１ｄの下方突出部分１２の正面側に重り状となって配置されるようになされている。
【００２２】
乾式第１止水材７は、縦目地４に沿い、横目地５を貫くように横目地５を挟む上下両側に延ばされるもので、縦目地４の幅寸法よりも広幅につくられており、かつ、両側部７ａ，７ａが縦目地４を挟む左右の外壁面材の背面側に張り出すと共に、各張り出し部分７ａ，７ａの正面側には上下方向に延びるゴム状をした内向き傾斜の止水用のヒレ７ｂ…が設けられ、各ヒレ７ｂによって、それより奥方への水の侵入が阻止されて止水状態を形成することができるようになされている。
【００２３】
そして、この乾式第１止水材７は、図４（イ）（ハ）に示すように、その正面側の幅方向の中央部に、背面側を奥方に突出させることで正面側に溝部７ｃが形成されており、該溝部７ｃの深さと背面側の突出の大きさは、図４（ロ）に示すように、乾式第１止水材７の上端部から下方に向けて漸次に小さくなっていき、下端部の側では、図４（ニ）に示すように、溝部７ｃも突出も消失した平坦形状になっている。
【００２４】
乾式第２止水材８は、図１（イ）に示すように、縦目地４を挟む左右の階上外壁面材１ａ，１ａ間、及び、左右の階間外壁面材２，２間に、十字状目地交叉部を貫くように連続状に嵌め込まれるもので、左右の階上外壁面材１ａ，１ａ間に嵌め込まれる部分８ａは、図５（ロ）に示すように、深さ方向に３つのヒレ８ｃ…が備えられて前後方向の寸法が大きく確保される一方、十字状交叉目地部及び左右の階間外壁面材２，２間に嵌め込まれる部分８ｂは、切欠き段部８ｄによって奥方側のヒレが省略され、図５（ハ）に示すように、深さ方向に２つのヒレ８ｃ…を備えて前後方向の寸法を小さく制限された構造となっていている。各ヒレ８ｃ…はゴム状の弾力性を備えたものからなっている。
【００２５】
乾式第３止水材９は、横目地５を挟む階上外壁面材１ａと階間外壁面材２との間に、十字状交叉目地部で乾式第２止水材８により左右に分断されて該乾式第２止水材８を挟む両側を左右方向に延ばされるもので、ゴム状の弾力性を備えており、本実施形態では、図２に示すように、左右の階間外壁面材２，２の上面部に予め取り付けられて備えられている。
【００２６】
なお、乾式第４止水材１０は、縦目地４を挟む左右の階下外壁面材３ａ，３ａ間に嵌め込まれるもので、図５（ホ）に示すように、深さ方向に４つのヒレ１０ｃ…が備えられて前後方向の寸法が大きく確保される一方、上端部１０ｂは、第１乾式止水材７の背面部側を立ち上がることができるように、切欠き段部１０ｄによって正面側のヒレが省略されて、図５（ニ）に示すように、深さ方向に２つのヒレ１０ｃ…を備えて前後方向の寸法を小さく制限された構造となっている。各ヒレ１０ｃ…もゴム状の弾力性を備えたものからなっている。
【００２７】
施工は、階上・階下の外壁パネル１，３の建方を行った後、屋外側から、乾式第１止水材７の上端部の両側を、階上外壁面材１ａと縦胴縁１ｄとの間の凹所１１に差し込んだ状態にする。その際、乾式第１止水材７の幅方向中央側における背面側の突出部７ｄを、図１（ロ）に示すように、左右の階上外壁面材１ａ，１ａの側部の背面側に備えられている縦胴縁１ｄ，１ｄ間を通じて奥方に突出させるようにする。
【００２８】
次いで、階間外壁面材２を、屋外側から階上・階下の外壁面材１ａ，３ａ間に設置する。これにより、階上外壁面材１ａと縦胴縁１ｄとが乾式第１止水材７のヒレ７ｂを圧して止水状態が形成され、また、階間外壁面材２と前記縦胴縁１ｄとが乾式第１止水材７のヒレ７ｂを圧して止水状態が形成される。
【００２９】
しかる後、屋外側から乾式第２止水材８を縦目地４に嵌め込む。乾式第２止水材８の嵌め込みにおいては、乾式第１止水材７の正面側の溝部７ｃを利用して、深さ方向に３つのヒレ８ｃ…の備えられている部分８ａを縦目地４内に深く嵌め込むことができる。
【００３０】
乾式第３止水材９については、該乾式止水材９が階間外壁面材２の上端部に予め取り付けられているので、階間への階間外壁面材２の設置を行うと、同時に、横目地５の形成と、該横目地５への乾式第３止水材９の嵌め込みを完了することになる。
【００３１】
なお、本実施形態では、図２に示すように、階間外壁面材２の下端部に見切り取付け用の下地１３が予め取り付けられており、階間への階間外壁面材２の設置を行った後、階間外壁面材２と階下外壁面材３ａとの間の横目地１４に見切り１５を取り付けることで、該横目地１４が見切り１５で隠蔽されるようになされている。
【００３２】
また、相前後して左右の階下外壁面材３ａ，３ａ間の縦目地に乾式第４止水材１０を嵌め込み、その上端部１０ｂを、乾式第２止水材８の下端部の背面側に立ち上がらせる。これにより、乾式第２止水材８と乾式第４止水材１０との間は止水状態になる。
【００３３】
このように、上記の乾式止水構造では、外壁の施工に狂い等があって、外壁目地の十字状交叉部において、雨水等の水が、第２，第３の乾式止水材８，９，９を越えて奥方に入り込んでも、乾式の第１止水材７の各ヒレ７ｂ…が、奥方への水の侵入を阻止して、しっかりとした止水状態を形成することができる。
【００３４】
しかも、乾式第１止水材７は、縦目地４の幅寸法よりも広幅で、両側部７ａ，７ａが縦目地４を挟む左右の外壁面材の背面側に張り出していると共に、各張り出し部分７ａ，７ａの正面側に上下方向に延びる止水用のヒレ７ｂ…が設けられ、各ヒレ７ｂで、それより奥方への水の侵入を阻止して止水状態を形成する構成となっているので、乾式第１止水材７それ自体が構造簡素であって、それを組み込みさえすればよくて止水のための構造を簡素にすることができる。
【００３５】
加えて、乾式の第１止水材７は、縦目地４の幅寸法よりも広幅で、その両側部７ａ，７ａを左右の外壁面材の背面側に張り出させるように組み込むだけでよいので、施工も容易である。
【００３６】
特に、乾式第１止水材７は、その形状による作用で、幅方向の両側部分７ａ，７ａを外壁面材の背面側の屋外側に近い位置に組み込むことができて、乾式第１止水材７の組込みを容易にすることができると共に、施工を容易に行うことができ、それでいて、乾式第１止水材７の幅方向中央部に備えられた溝部７ｃを利用して乾式第２止水材８を縦目地４に対して深く嵌め込むことができ、しっかりとした止水状態を形成することができる。
【００３７】
更に、乾式第１止水材７は、横目地５を挟む上下両側において、そのヒレ７ｂが圧された状態となるようになされていて、それにより、しっかりとした止水状態を形成することができ、しかも、それを、階上外壁面材１ａの背面部に備えられる縦胴縁１ｄの下端部１２を下方に突出させただけの簡素な構造で実現することができる。
【００３８】
なお、目地の十字状交叉部を通じて乾式第１止水材７の正面側に受けられた水は、そのまま流下して、階間外壁面材２と階下外壁面材３ａとの間の横目地１４を通じて屋外側に排水されるようになされている。
【００３９】
以上に、本発明の実施形態を示したが、本発明はこれに限られるものではなく、発明思想を逸脱しない範囲で各種の変更が可能である。例えば、上記の実施形態では、本発明の構造を、階上外壁面材１ａと階間外壁面材２との間に形成される十字状目地交叉部の止水に適用した場合を示したが、階間外壁面材がなく、階上外壁面材と階下外壁面材との間に横目地が形成される十字状目地交叉部の止水に適用することも可能であるし、種々の十字状目地交叉部の止水に広く用いることができるものである。
【００４０】
また、上記の実施形態では縦胴縁が通気層を形成するために備えられているが、その他、通気を目的としない空気層等を形成するために備えられたものであってもよい。
【符号の説明】
【００４１】
１ａ…階上外壁面材
１ｄ…縦胴縁
２…階間外壁面材
４…縦目地
５…横目地
７…乾式第１止水材
７ａ…両側部
７ｂ…ヒレ
７ｃ…溝部
７ｄ…突出部
８…乾式第２止水材
９…乾式第３止水材
１１…凹所
１２…下方突出部分
【図１】
0005566728.tif 000002
【図２】
0005566728.tif 000003
【図３】
0005566728.tif 000004
【図４】
0005566728.tif 000005
【図５】
0005566728.tif 000006